(57)【要約】【課題】金属アングル部と樹脂カバー間の断熱効果を高めて樹脂カバー表面での結露を抑制し、結露水による木製額縁の汚れ、腐り、剥離等を未然に防止すると共に、樹脂カバーの取り付けをビスレスで容易にしかも外観良く行なうことができ、樹脂カバーの防露性、施工性、意匠性（見栄え）を共に良好にすること。【解決手段】金属枠３の金属アングル部４を室内側Ｂに露出する合成樹脂製の樹脂カバー７にて覆うと共に、金属アングル部４と樹脂カバー７との間に断熱空間層９を形成し、断熱空間層９を挟んで室外側Ａと室内側Ｂの両側で樹脂カバー７に設けた係合部１０ａ，１０ｂを金属枠３に設けた被係合部４ｃ，４ｄにそれぞれ係合させた窓枠５である。【選択図】図１
2007146536.tif 000002
【特許請求の範囲】
【請求項１】
窓開口部に、下枠、上枠及び左右の縦枠からなる金属枠を設置し、金属枠の室内側の端部に金属アングル部を形成し、金属枠の室内側に木製額縁を配置して該木製額縁の室外側の端部を金属アングル部を介して金属枠に取り付けてなる窓枠において、上記金属アングル部を室内側に露出する合成樹脂製の樹脂カバーにて覆うと共に、金属アングル部と樹脂カバーとの間に断熱空間層を形成し、断熱空間層を挟んで室外側と室内側の両側で樹脂カバーに設けた係合部を金属枠に設けた被係合部にそれぞれ係合させてなることを特徴とする窓枠。
【発明の詳細な説明】
【技術分野】
【０００１】
本発明は、窓枠に関し、詳しくは窓枠の室内側に露出した部分での結露を防止する技術に関するものである。
【背景技術】
【０００２】
一般に、図４（ａ）に示すように、窓開口部１の木製額縁２の室外側Ａにアルミニウムサッシからなる金属枠３を配設し、金属枠３の室内側Ｂの端部に金属アングル部４を形成し、木製額縁２の室外側Ａの端部２ａを金属アングル部４にビス５２で固定するようにした窓枠５´が知られている。ところがアルミニウムサッシからなる金属枠３は、防火性能や耐久性に優れる反面、熱をよく伝えるため、室内温度と外気温度の差が大きくなるほど、図４（ｂ）に示すように、室内側Ｂに露出した金属アングル部４の上面４ａに結露（水滴）が生じやすくなる。このとき、金属アングル部４の背面４ｂに生じた結露水ｎは水受け部１２に流れ落ちるので問題はないが、金属アングル部４の上面４ａに生じた結露水ｍは隣接する木製額縁２へと溢れ出して、木製額縁２を濡らしてしまい、木製額縁２が汚れたり、腐ったり、剥がれたりするという問題がある。また室内側Ｂからビス５１の頭が見えるために見栄えが良くないという問題もある。
【０００３】
また、従来より、金属枠の室内側露出部分を合成樹脂製の樹脂枠で構成した複合サッシが特許文献１により知られているが、このような樹脂枠であっても、金属枠に面接触して重ねてあるので断熱が完全ではなく、このため結露の発生が問題となり、また樹脂枠を固定するためのビスの頭が室内側から見えてしまい、見栄えの悪さも問題となる。さらに加えて仮りに樹脂枠に熱収縮による反りや変形等が発生した場合は、樹脂枠のビス間の樹脂部分が浮き上がって隙間が発生するなど、見栄えが一層悪くなる。なお、樹脂枠を厚肉にして、結露を抑えたり、反りや変形等を抑えることが考えられるが、この場合、樹脂枠の生産コストが高くつくといった別の問題が生じる。
【特許文献１】特開２００４−３６０３２２号公報
【発明の開示】
【発明が解決しようとする課題】
【０００４】
本発明は上記の従来の問題点に鑑みて発明したものであって、金属アングル部と樹脂カバー間の断熱効果を高めて、室内側に露出する樹脂カバー表面での結露を抑制し、結露水による木製額縁の汚れ、腐り、剥離等を未然に防止すると共に、金属枠に対する樹脂カバーの取り付けをビスレスで容易にしかも外観良く行なうことができ、防露性、施工性、意匠性（見栄え）が共に良好な樹脂カバーを備えた窓枠を提供することを課題とするものである。
【課題を解決するための手段】
【０００５】
前記課題を解決するために本発明は、窓開口部１に、下枠３Ａ、上枠３Ｂ及び左右の縦枠３Ｃからなる金属枠３を設置し、金属枠３の室内側Ｂの端部に金属アングル部４を形成し、金属枠３の室内側Ｂに木製額縁２配置して該木製額縁２の室外側Ａの端部を金属アングル部４を介して金属枠３に取り付けてなる窓枠において、上記金属アングル部４を室内側Ｂに露出する合成樹脂製の樹脂カバー７にて覆うと共に、金属アングル部４と樹脂カバー７との間に断熱空間層９を形成し、断熱空間層９を挟んで室外側Ａと室内側Ｂの両側で樹脂カバー７に設けた係合部１０ａ，１０ｂを金属枠３に設けた被係合部４ｃ，４ｄにそれぞれ係合させてなることを特徴としている。
【０００６】
このような構成とすることで、金属アングル部４から樹脂カバー７への熱伝達が断熱空間層９によって抑制され、室内側Ｂに露出する樹脂カバー７の表面での結露を効果的に抑制でき、結露水が木製額縁２を濡らす恐れがなくなる。また、断熱空間層９を挟んでその両側で樹脂カバー７側の係合部１０ａ，１０ｂを金属枠３側の被係合部４ｃ，４ｄにそれぞれ係合させることで、断熱空間層９を確保しながら樹脂カバー７を金属枠３に対してビスレスで容易にしかも外観良く取り付け可能となる。
【発明の効果】
【０００７】
本発明に係る窓枠は、金属アングル部とこれを覆う樹脂カバーとの間に断熱空間層を形成したことにより、金属アングル部と樹脂カバー間の断熱効果を高めて室内側に露出する樹脂カバー表面での結露を効果的に抑制でき、これにより結露水による木製額縁の汚れ、腐り、剥離等を未然に防止できるものであり、さらに、断熱空間層を挟んでその両側で樹脂カバーの係合部を金属枠の被係合部にそれぞれ係合させることにより、断熱空間層を確保しながら樹脂カバーを金属枠に対してビスレスで容易にしかも取り付け可能になると共に、ビスの頭が室内側から見えたりすることもなく、また仮りに樹脂カバーが熱収縮で反りや変形等した場合でも、樹脂カバーの浮き上がりを防止できるようになり、結果、樹脂カバーの防露性、施工性、意匠性をそれぞれ向上させることができる。
【発明を実施するための最良の形態】
【０００８】
以下、本発明を添付図面に示す実施形態に基いて説明する。
【０００９】
図１は下枠３Ａの金属アングル部４を樹脂カバー７で覆った場合の一例を示す側面断面図であり、図２は窓枠５全体の一部破断した側面断面図であり、図３はその平面断面図である。
【００１０】
本実施形態の窓開口部１にアルミニウムサッシからなる金属枠３が設置される。金属枠３は、下枠３Ａ、上枠３Ｂ、左右の縦枠３Ｃとで方形状に枠組みされて構成される。金属枠３の室内側Ｂの端部には金属アングル部４が形成されている。
【００１１】
金属枠３の室内側Ｂに木製額縁２が配置され、木製額縁２の室外側Ａの端部が金属アングル部４を介して金属枠３に取り付けられる。木製額縁２は、下額縁２Ａと上額縁２Ｂと左右の縦額縁２Ｃとからなる。
【００１２】
以下、下枠３Ａとこれを覆う樹脂カバー７について詳述する。なお上枠３Ｂとこれを覆う樹脂カバー７ａ、縦枠３Ｃとこれを覆う樹脂カバー７ｂについては、それぞれ、下枠３Ａと対応する部位に同一符号に添字ａ，ｂを付しておく。
【００１３】
下枠３Ａは、図１に示すように、断熱樹脂１４を挟んで室外側Ａと室内側Ｂとに分離されており、屋外の熱を屋内側に伝えにくくしている。下枠３Ａの室外側Ａ及び室内側Ｂからはそれぞれ取付フィン１３ａ，１３ｂが下方に突出しており、各取付フィン１３ａ，１３ｂが窓開口部１の下側の枠材２２に対してビス２２ａでそれぞれ固定されている。
【００１４】
下枠３Ａの室外側Ａの上面には外障子１８をガイドする外障子レール１９が設けられ、室内側Ｂの上面には内障子２０をガイドする内障子レール２１が設けられ、これら外障子レール１９と内障子レール２１との間が室外側排水溝１５となっている。
【００１５】
室外側排水溝１５の室内側Ｂの端部から上方に向かって金属アングル部４が立設されている。金属アングル部４は、室内側Ｂに向かって突出する上下一対の額縁取付片１７を備えており、下額縁２Ａの室外側Ａの端部が額縁取付片１７間に嵌合により取り付けられる。このとき必要に応じて、下額縁２Ａの端部と額縁取付片１７とをビスで固定してもよい。
【００１６】
下枠３Ａの室内側露出部分６は樹脂カバー７にて覆われている。ここで室内側露出部分６とは、室外側排水溝１５、室内側排水溝１６及び金属アングル部４を指す。
【００１７】
樹脂カバー７は、例えば、塩化ビニルやアクリル樹脂などの押出型材で構成されており、室外側排水溝１５を覆う室外側樹脂カバー７Ａと、室内側排水溝１６と金属アングル部４とを覆う室内側樹脂カバー７Ｂとに分離されている。
【００１８】
上記室外側樹脂カバー７Ａは、室外側排水溝１５の長手方向全長に設けられており、本例では、室外側樹脂カバー７Ａの室外側Ａの端部に外障子レール１９の下側に設けた凸状の被係合部２３の下面に係合する係合部２４が設けられ、室外側樹脂カバー７Ａの室内側Ｂの端部に内障子レール２１の下側に設けた凹状の被係合部２５に係合する係合部２６が設けられている。さらに室外側樹脂カバー７Ａの下面中央側には室外側排水溝１５の底面に支持される支持突起２７が設けられ、この支持突起２７の高さに相当する厚みの室外側断熱空間層９Ａが室外側排水溝１５と室外側樹脂カバー７Ａとの間に形成されている。
【００１９】
一方、室内側樹脂カバー７Ｂは、室内側排水溝１６の長手方向全長に設けられる水受け部１２と、金属アングル部４の長手方向全長に設けられるアングルカバー部８とが一体形成されている。
【００２０】
上記水受け部１２は、内障子レール２１の室内側Ｂの面を覆う垂直片２８の上端に、内障子レール２１の上端に設けた凸状の被係合部４ｃに係合する係合部１０ａが設けられている。また、上記垂直片２８の下端は内障子レール２１の下端の段部２１ｂに支持されており、この段部２１ｂによって室内側排水溝１６と水受け部１２との間に室内側断熱空間層９Ｂが形成されている。
【００２１】
上記アングルカバー部８は、金属アングル部４の背面４ｂに沿って立ち上がる立上り片２９と、立上り片２９の上端から室内側Ｂに向かってひさし状に延出して金属アングル部４の上面４ａを覆う水平片３０とが一体形成されている。水平片３０の下面と金属アングル部４の上面４ａとの間には断熱空間層９が形成されている。断熱空間層９は、金属アングル部４からアングルカバー部８への熱伝達を防いで断熱効果を高めて室内側Ｂに露出する水平片３０表面での結露を抑制する働きをする。本例では立上り片２９と水平片３０とが共に薄肉状に形成されていると共に、立上り片２９の下端が室内側排水溝１６の底面に当接している。水平片３０は、金属アングル部４の上面４ａ先端に設けられる被係合部４ｄに係合する爪状の係合部１０ｂを備えていると共に、係合部１０ｂよりもさらに室内側Ｂに突出した先端側には下額縁２Ａの上面に当接して断熱空間層９を遮蔽する遮蔽片１１が設けられている。さらに、水平片３０の下面中央側には、金属アングル部４の上面４ａに対向する位置規制用突起３１が突設されており、水平片３０が下方に変形等した際に位置規制用突起３１の下端が金属アングル部４の上面４ａに当たることで、水平片３０の変形が規制されて断熱空間層９が潰れて無くならないようにしている。
【００２２】
しかして、金属アングル部４を樹脂材料からなるアングルカバー部８で覆うと共に金属アングル部４とアングルカバー部８との間に断熱空間層９を形成したので、金属アングル部４からアングルカバー部８への熱伝達が抑制され、室内側Ｂに露出するアングルカバー部８表面での結露を効果的に抑制できるようになり、これにより図１の矢印への結露水ｍの流れを防止できるので、下額縁２Ａの汚れ、腐り、剥離等を未然に防止できるようになる。なお、アングルカバー部８の立上り片２９の表面に生じた結露水ｎの流れは、従来と同様、水受け部１２の方向に流れ落ちるため問題はない。なお、水受け部１２内の水は、例えば、室内側樹脂カバー７Ａ及び室外側樹脂カバー７Ｂの底面に設けた水抜き孔（図示せず）、或いは内障子レール２１に設けた水抜き用の切欠孔（図示せず）から室外側排水溝１５内へと流し、室外側排水溝１５の底面に設けた水抜き孔（図示せず）から室外へと排水することができる。
【００２３】
また本例では、下枠３Ａを断熱樹脂１４を介して室外側Ａと室内側Ｂとに分離し、さらに室外側排水溝１５と室外側樹脂カバー７Ａとの間に室外側断熱空間層９Ａを形成し、室内側排水溝１６と室内側樹脂カバー７Ｂとの間に室内側断熱空間層９Ｂを形成しているので、樹脂カバー７全体の断熱性が良好となり、障子を閉じた状態で外気温が室内に伝わり難くなる。このような断熱効果は、図２の上半部に示す上枠３Ｂ側の断熱空間層９ａを有する樹脂カバー７ａ、及び図３（ｂ）に示す縦枠３Ｃ側の断熱空間層９ｂを有する樹脂カバー７ｂにおいても、それぞれ同様に得られるので、窓枠５全周に亘って結露の発生を防止でき、木製額縁２（下額縁２Ａ、上額縁２Ｂ、縦額縁２Ｃ）の汚れ、腐り、剥離等を防止できると共に、断熱効果の向上によって住宅の省エネ化を一層推進できるものである。
【００２４】
さらに、断熱空間層９を挟んで室外側Ａと室内側Ｂの両側で、樹脂カバー７の係合部１０ａ，１０ｂを金属枠３の被係合部４ｃ，４ｄにそれぞれ係合させることで、断熱空間層９を確保しながら樹脂カバー７を金属枠３に対してビスレスで容易に取り付け可能となる。つまり、室内側樹脂カバー７Ｂを取り付けるにあたっては、樹脂カバー７側の係合部１０ｂを金属アングル部４の被係合部４ｄに引っ掛けた状態で、水受け部１２を室内側排水溝１６に嵌め込み且つアングルカバー部８の立上り片２９を金属アングル部４の背面４ｂに密着させ且つ水受け部１２の係合部１０ａを外障子レール１９の被係合部４ｃに係合させることで、室内側樹脂カバー７Ｂを取り付けることができる。一方、室外側樹脂カバー７Ａを室外側排水溝１５に押し込んで、支持突起２７を室外側排水溝１５の底面に当て且つ係合部２４を外障子レール１９の被係合部２３に係合させると共に係合部２６を内障子レール２１側の被係合部２５に係合させることで、室外側樹脂カバー７Ａを取り付けることができる。
【００２５】
従って、上記室外側樹脂カバー７Ａ及び室内側樹脂カバー７Ｂのいずれもビスレスで取り付け可能となるので、取り付け作業を容易にしかも外観良くできると共に、仮りに樹脂カバー７に反りや変形等が発生しても上記係合部１０ｂと被係合部４ｄとの係合力によって樹脂カバー７の浮き上がりを防止でき、そのうえ上記係合部１０ｂを被係合部４ｄに係合させた状態では遮蔽片１１が木製額縁２の表面に当たって断熱空間層９を室内側Ｂから見えなくするので、アングルカバー部８と木製額縁２との間で連続した一体感が長期に亘って維持され、外観がきわめて良好となり、結果、下枠３Ａにおいて樹脂カバー７の防露性、施工性、意匠性を共に向上させることができる。また図２、図３に示す上枠３Ｂの樹脂カバー７ａ、及び縦枠３Ｃの樹脂カバー７ｂにおいても、同様な構成を有するので、上枠３Ｂ及び縦枠３Ｃにおいても、樹脂カバー７ａ，７ｂの防露性、施工性、意匠性を共に向上させることができる。
【図面の簡単な説明】
【００２６】
【図１】本発明の一実施形態の下枠の金属アングル部を室内側に露出する樹脂カバーで覆った場合の一例を示す側面断面図である。
【図２】同上の窓枠全体の一部破断側面断面図である。
【図３】（ａ）は同上の窓枠全体の一部破断平面断面図、（ｂ）は（ａ）のＧ部の拡大図である。
【図４】従来例を示し、（ａ）は窓枠全体の一部破断側面断面図、（ｂ）は金属アングル部に発生した結露水の流れ方向を説明する拡大図である。
【符号の説明】
【００２７】
１  窓開口部
２  木製額縁
３  金属枠
３Ａ  下枠
３Ｂ  上枠
３Ｃ  縦枠
４  金属アングル部
４ｃ，４ｄ  被係合部
５  窓枠
７  樹脂カバー
９  断熱空間層
１０ａ，１０ｂ  係合部
Ａ  室外側
Ｂ  室内側
【図１】
2007146536.tif 000003
【図２】
2007146536.tif 000004
【図３】
2007146536.tif 000005
【図４】
2007146536.tif 000006